(57)【要約】【課題】照射熱による温度上昇を低減した光学装置および光学装置の製造方法を提供する。【解決手段】光が通過可能な光通過領域の外側に備えられ、Ｌａｂ表色系における明度Ｌが４０未満であって、波長９００ｎｍ以上１７００ｎｍ未満の光の反射率が３０％以上となる反射面２４が少なくとも一部に備えられた筒状部１２を含む光学装置。【選択図】図１
2010038957.tif 000002
【特許請求の範囲】
【請求項１】
光が通過可能な光通過領域の外側に備えられ、Ｌａｂ表色系における明度Ｌが４０未満であって、波長９００ｎｍ以上１７００ｎｍ未満の光の反射率が３０％以上となる反射面が少なくとも一部に備えられた筒状部を含むことを特徴とする光学装置。
【請求項２】
光が通過可能な光通過領域の外側に備えられ、Ｌａｂ表色系における明度Ｌが４０以上７０未満であって、波長９００ｎｍ以上１７００ｎｍ未満の光の反射率が５０％以上となる反射面が少なくとも一部に備えられた筒状部を含むことを特徴とする光学装置。
【請求項３】
光が通過可能な光通過領域の外側に備えられ、Ｌａｂ表色系における明度Ｌが７０以上であって、波長９００ｎｍ以上１７００ｎｍ未満の光の反射率が７０％以上となる反射面が少なくとも一部に備えられた筒状部を含むことを特徴とする光学装置。
【請求項４】
請求項１から請求項３の何れか１項に記載された光学装置であって、
前記光通過領域に備えられ、入射した光の像を形成する光学系を有し、
前記反射面は、前記筒状部の物体側に備えられていることを特徴とする光学装置。
【請求項５】
請求項４に記載された光学装置であって、レンズ鏡筒であることを特徴とする光学装置。
【請求項６】
請求項４又は請求項５に記載された光学装置であって、
前記反射面よりも像側に備えられ、前記光学系の移動を操作するための操作部材を含むことを特徴とする光学装置。
【請求項７】
請求項４から請求項６までの何れか１項に記載された光学装置であって、
前記反射面よりも像側に備えられ、前記筒状部を支持する支持台を取付け可能な取付け部を有することを特徴とする光学装置。
【請求項８】
請求項４から請求項７までの何れか１項に記載された光学装置であって、
前記反射面は、前記筒状部の物体側の端部から３分の２よりも前記物体側の領域に備えられていることを特徴とする光学装置。
【請求項９】
請求項１から請求項８までの何れか１項に記載された光学装置であって、
前記反射面には、塗布により膜が形成されていることを特徴とする光学装置。
【請求項１０】
請求項９に記載された光学装置であって、
前記反射面は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する膜であることを特徴とする光学装置。
【請求項１１】
入射した光の像を形成する光学系と、
前記光学系の外周側に備えられた筒状部とを含み、
前記筒状部は、外周面に備えられた第１領域と、前記第１領域よりも像側の外周面に備えられ前記第１領域よりも赤外線の反射率が小さい第２領域とを有することを特徴とする光学装置。
【請求項１２】
請求項１１に記載された光学装置であって、
前記筒状部の軸方向でみて、前記第１領域と前記第２領域との間に備えられ、前記光学系の移動を操作するための操作部材を含むことを特徴とする光学装置。
【請求項１３】
請求項１１又は請求項１２に記載された光学装置であって、
前記筒状部の軸方向でみて、前記第１領域と前記第２領域との間に備えられ、前記筒状部を支持する支持台を取付け可能な取付け部を含むことを特徴とする光学装置。
【請求項１４】
入射した光の像を形成する光学系と、
前記光学系の外周側に備えられた筒状部とを含み、
前記筒状部は、外周面に備えられた第１領域と、前記筒状部の軸回り方向でみて、前記第１領域とは異なる領域に備えられ前記第１領域よりも赤外線の反射率が小さい第２領域とを有することを特徴とする光学装置。
【請求項１５】
請求項１４に記載された光学装置であって、
前記第１領域及び前記第２領域には塗布により膜が形成され、前記第１領域の膜厚は、前記第２領域の膜厚よりも厚いことを特徴とする光学装置。
【請求項１６】
光が通過可能な光通過領域と、
前記光通過領域の外側に備えられた筒状部と、
前記筒状部の第１領域の膜厚が、前記筒状部の軸回り方向でみて、前記第１領域とは異なる第２領域の膜厚よりも厚くなるように、前記筒状部の外周面に形成された塗膜とを有することを特徴とする光学装置。
【請求項１７】
請求項１６に記載された光学装置であって、
前記筒状部は、前記第１領域の赤外線の反射率が前記第２領域の赤外線の反射率よりも高いことを特徴とする光学装置。
【請求項１８】
請求項１４から請求項１７までの何れか１項に記載された光学装置であって、
前記第２領域に備えられ、前記筒状部を支持する支持台を取付け可能な取付け部を含むことを特徴とする光学装置。
【請求項１９】
請求項１４から請求項１８までの何れか１項に記載された光学装置であって、
前記第１領域は、前記筒状部の軸回り方向でみて５分の４以上の領域に備えられていることを特徴とする光学装置。
【請求項２０】
入射した光の像を形成する光学系を設け、
前記光学系の外周側に第１領域と、前記第１領域よりも像側の外周面に備えられ前記第１領域よりも赤外線の反射率が小さい第２領域とを有する筒状部を、前記筒状部の外周側に設けることを特徴とする光学装置の製造方法。
【請求項２１】
請求項２０に記載された光学装置の製造方法であって、
前記第１領域よりも像側に、前記筒状部を支持する支持台を取付けることを特徴とする光学装置の製造方法。
【請求項２２】
光が通過可能な光通過領域の外側に筒状部を形成し、
前記筒状部の外周面の少なくとも一部に、Ｌａｂ表色系における明度Ｌが、４０未満であって、波長９００ｎｍ以上１７００ｎｍ未満の光の反射率が３０％以上である塗料を塗布することを特徴とする光学装置の製造方法。
【請求項２３】
光が通過可能な光通過領域の外側に筒状部を形成し、
前記筒状部の外周面の少なくとも一部に、Ｌａｂ表色系における明度Ｌが、４０以上７０未満であって波長９００ｎｍ以上１７００ｎｍ未満の光の反射率が５０％以上である塗料を塗布することを特徴とする光学装置の製造方法。
【請求項２４】
光が通過可能な光通過領域の外側に筒状部を形成し、
前記筒状部の外周面の少なくとも一部に、Ｌａｂ表色系における明度Ｌが、７０以上であって、波長９００ｎｍ以上１７００ｎｍ未満の光の反射率が７０％以上である塗料を塗布することを特徴とする光学装置の製造方法。
【請求項２５】
請求項２２から請求項２４までの何れか１項に記載された光学装置の製造方法であって、
前記筒状部の第１領域に、前記第１領域とは異なる第２領域よりも厚く前記塗料を塗布することを特徴とする光学装置の製造方法。
【発明の詳細な説明】
【技術分野】
【０００１】
本発明は、光学装置および光学装置の製造方法に関する。
【背景技術】
【０００２】
カメラに備えられるレンズ鏡筒等の光学装置は、野外でのイベント撮影等に用いられた場合のように、太陽光のような赤外線を含む光線を多量に照射される環境下で使用される場合がある。従来技術に係る光学装置では、太陽光が多量に照射される環境下で用いられた場合、照射熱によって光学装置の温度が上昇するという問題が発生している。
【０００３】
レンズ鏡筒等の温度上昇を防止するための従来技術としては、例えば筐体の表面に可逆感温変色層を備えた光学装置が知られている（特許文献１等参照）。しかし、従来技術に係る光学装置は、照射熱による光学装置の温度上昇を十分に抑制することができず、特に濃色の外装の場合に温度上昇を抑制することはできなかった。
【０００４】
また、レンズ鏡筒のような光学装置は、撮影者等が光学装置の表面を直接手で振れて操作できるように設計されているものが多く存在する。しかし、従来技術に係る光学装置は、太陽光を照射される環境で使用される際、その輻射熱によって表面温度が上昇し、光学装置の操作が快適に行えない状態となる場合があり、問題となっている。
【特許文献１】特開２００７−４９３７０号公報
【発明の開示】
【発明が解決しようとする課題】
【０００５】
本発明は、このような実状に鑑みてなされ、その目的は、好適な温度特性を有する光学装置および光学装置の製造方法を提供することである。
【課題を解決するための手段】
【０００６】
上記目的を達成するために、本発明に係る光学装置は、
光が通過可能な光通過領域の外側に備えられ、Ｌａｂ表色系における明度Ｌが４０未満であって、波長９００ｎｍ以上１７００ｎｍ未満の光の反射率が３０％以上となる反射面（２４，６４,７４,７４ａ）が少なくとも一部に備えられた筒状部（１２，６２,７２,８０）を含むことを特徴とする。
【０００７】
また、本発明の第２の観点に係る光学装置は、
光が通過可能な光通過領域の外側に備えられ、Ｌａｂ表色系における明度Ｌが４０以上７０未満であって、波長９００ｎｍ以上１７００ｎｍ未満の光の反射率が５０％以上となる反射面が少なくとも一部に備えられた筒状部を含むことを特徴とする。
【０００８】
また、本発明の第３の観点に係る光学装置は、
光が通過可能な光通過領域の外側に備えられ、Ｌａｂ表色系における明度Ｌが７０以上であって、波長９００ｎｍ以上１５００ｎｍ未満の光の反射率が７０％以上となる反射面が少なくとも一部に備えられた筒状部を含むことを特徴とする。
【０００９】
また、例えば、本発明に係る光学装置は、前記光通過領域に備えられ、入射した光の像を形成する光学系（１３）を有し、
前記反射面は、前記筒状部の物体側に備えられていてもよい。
【００１０】
また、例えば、本発明に係る光学装置は、レンズ鏡筒（１０，６０,７０）であってもよい。
【００１１】
また、例えば、本発明に係る光学装置は、前記反射面よりも像側に備えられ、前記光学系の移動を操作するための操作部材（１４）を含んでいてもよい。
【００１２】
また、例えば、本発明に係る光学装置は、前記反射面よりも像側に備えられ、前記筒状部を支持する支持台を取付け可能な取付け部（１６）を有していてもよい。
【００１３】
また、例えば、前記反射面は、前記筒状部の物体側の端部（１２ａ,６２ａ）から３分の２よりも前記物体側の領域に備えられていてもよい。
【００１４】
また、例えば、前記反射面には、塗布により膜（３２,７８）が形成されていてもよい。
【００１５】
また、例えば、前記反射面は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する膜であってもよい。
【００１６】
また、本発明の第４の観点に係る光学装置は、
前記光学系の外周側に備えられた筒状部とを含み、
前記筒状部は、外周面（２２，６３）に備えられた第１領域（２４，６４）と、前記第１領域よりも像側の外周面に備えられ前記第１領域よりも赤外線の反射率が小さい第２領域（２６，６６）とを有することを特徴とする。
【００１７】
また、例えば、本発明に係る光学装置は、前記筒状部の軸（Ｌ）方向でみて、前記第１領域と前記第２領域との間に備えられ、前記光学系の移動を操作するための操作部材を含んでいてもよい。
【００１８】
また、例えば、本発明に係る光学装置は、前記筒状部の軸方向でみて、前記第１領域と前記第２領域との間に備えられ、前記筒状部を支持する支持台を取付け可能な取付け部を含んでいてもよい。
【００１９】
また、本発明の第５の観点に係るに係る光学装置は、
入射した光の像を形成する光学系と、
前記光学系の外周側に備えられた筒状部とを含み、
前記筒状部（７２,８０）は、外周面（７３）に備えられた第１領域（７４,７４ａ）と、前記筒状部の軸回り方向でみて、前記第１領域とは異なる領域に備えられ前記第１領域よりも赤外線の反射率が小さい第２領域（７６,７６ａ）とを有することを特徴とする。
【００２０】
また、例えば、本発明に係る光学装置は、前記第１領域及び前記第２領域には塗布により膜（７８）が形成され、前記第１領域の膜厚は、前記第２領域の膜厚よりも厚くてもよい。
【００２１】
また、本発明の第６の観点に係るに係る光学装置は、
光が通過可能な光通過領域と、
前記光通過領域の外側に備えられた筒状部と、
前記筒状部の第１領域の膜厚が、前記筒状部の軸回り方向でみて、前記第１領域とは異なる第２領域の膜厚よりも厚くなるように、前記筒状部の外周面に形成された塗膜とを有する。
【００２２】
また、例えば、前記筒状部は、前記第１領域の赤外線の反射率が前記第２領域の赤外線の反射率よりも高くてもよい。
【００２３】
また、例えば、本発明に係る光学装置は、前記第２領域に備えられ、前記筒状部を支持する支持台を取付け可能な取付け部を含んでいてもよい。
【００２４】
また、例えば、前記第１領域は、前記筒状部の軸回り方向でみて５分の４以上の領域に備えられていてもよい。
【００２５】
また、本発明に係る光学装置の製造方法は、
入射した光の像を形成する光学系を設け、
前記光学系の外周側に第１領域と、前記第１領域よりも像側の外周面に備えられ前記第１領域よりも赤外線の反射率が小さい第２領域とを有する筒状部を、前記筒状部の外周側に設けることを特徴とする。
【００２６】
また、本発明に係る光学装置の製造方法では、前記第１領域よりも像側に、前記筒状部を支持する支持台を取付けてもよい。
【００２７】
また、本発明の第２の観点に係る光学装置の製造方法は、
光が通過可能な光通過領域の外側に筒状部を形成し、
前記筒状部の外周面の少なくとも一部に、Ｌａｂ表色系における明度Ｌが、４０未満であって、波長９００ｎｍ以上１７００ｎｍ未満の光の反射率が３０％以上である塗料を塗布することを特徴とする。
【００２８】
また、本発明の第３の観点に係る光学装置の製造方法は、
光が通過可能な光通過領域の外側に筒状部を形成し、
前記筒状部の外周面の少なくとも一部に、Ｌａｂ表色系における明度Ｌが、７０以上であって、波長９００ｎｍ以上１７００ｎｍ未満の光の反射率が７０％以上である塗料を塗布することを特徴とする。
【００２９】
また、本発明の第４の観点に係る光学装置の製造方法は、
光が通過可能な光通過領域の外側に筒状部を形成し、
前記筒状部の外周面の少なくとも一部に、Ｌａｂ表色系における明度Ｌが、７０以上であって、波長９００ｎｍ以上１７００ｎｍ未満の光の反射率が７０％以上である塗料を塗布することを特徴とする。
【００３０】
また、本発明に係る光学装置の製造方法では、
前記筒状部の第１領域に、前記第１領域とは異なる第２領域よりも厚く前記塗料を塗布してもよい。
【００３１】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００３２】
以下、本発明を、図面に示す実施形態に基づき説明する。
図１は、本発明の第１実施形態に係るレンズ鏡筒の全体図、
図２（ａ）は、図１に示すレンズ鏡筒の第１領域の概略断面図、
図２（ｂ）は、図１に示すレンズ鏡筒の第２領域の概略断面図、
図３は、図２（ａ）に示す反射塗膜の拡大図、
図４は、本発明の第２実施形態に係るレンズ鏡筒の全体図、
図５は、本発明の第３実施形態に係るレンズ鏡筒の全体図、
図６は、図５に示すレンズ鏡筒の概略断面図、
図７は、図５に示すレンズ鏡筒の変形例に関する概略断面図、
図８は、本発明の一実施形態に係るレンズフードの全体図、
図９は、本発明の一実施形態に係る支持台取付部の全体図、
図１０は、遮熱塗膜に光が照射された場合の照射光波長と反射率との関係を示す図である。
第１実施形態
【００３３】
図１は、本発明の第１実施形態に係るレンズ鏡筒１０の全体図である。レンズ鏡筒１０は、レンズ鏡筒１０の外周を構成する筒体１２を有している。筒体１２は略円筒形状を有しており、円筒形状の筒体１２の中心軸Ｌに沿う方向に、光が通過可能な光通過領域が形成されている。
【００３４】
筒体１２の内部に形成されている光通過領域には、光学レンズ群１３が備えられている。光学レンズ群１３は、レンズ鏡筒１０の一方の端部である被写体側の端部１２ａから入射した光を、レンズ鏡筒１０の他方の端部である撮像面側の端部１２ｂに、出射することができる。また、本実施形態に係るレンズ鏡筒１０は、被写体側から入射した光の像を、当該光を撮像面側に出射した後の所定の位置で、形成することができる。
【００３５】
レンズ鏡筒１０の外周を形成する筒体１２の撮像面側の端部１２ｂには、不図示のカメラ本体部が取り付けられる。カメラ本体部は、レンズ鏡筒１０に備えられる光学レンズ群１３によって形成される光の像を記録する記録媒体等を有する。また、筒体１２の被写体側の端部には、レンズ鏡筒１０の光通過領域に不要な光が入射することを防止するために、図８に示すようなレンズフード５０を取り付けることができる。
【００３６】
なお、実施形態では主としてレンズ鏡筒１０を例に挙げて説明を行うが、本発明に係る光学装置としてはこれに限定されない。本発明に係る光学装置としては、レンズ鏡筒の他に、例えばレンズフード、カメラボディおよびカメラ（レンズ鏡筒とカメラとが一体化したもの）等が挙げられる。また、本発明に係る光学装置はスチルカメラに限定されるものではなく、ビデオカメラ、テレコンバータ、望遠鏡、双眼鏡、単眼鏡を含む。
【００３７】
図１に示すレンズ鏡筒１０は、筒体１２を支持する支持台を取付け可能な支持台取付部１６を有する。支持台取付部１６は、レンズ鏡筒１０の筒体１２を挿通させるリング部１７と、三脚等の支持台を取付けるための支持台固定孔２８が形成されている座部１８とを有する。また、支持台取付部１６のリング部１７には、筒体１２に対して支持台取付部１６を固定するための取付ねじ１９が備えられている。
【００３８】
また、レンズ鏡筒１０には、レンズ鏡筒１０に備えられる光学レンズ群１３の焦点調整を行うための回転環１４が取り付けられている。回転環１４は、光学レンズ群１３を構成する焦点調整レンズの移動を操作するための操作部材である。レンズ鏡筒１０およびカメラ等を使用する撮影者は、回転環１４を回転させることによって、光学レンズ群１３の一部である焦点調整レンズの移動を操作し、レンズ鏡筒１０の焦点調整を行うことができる。
【００３９】
なお、レンズ鏡筒１０に取り付けられる回転環１４は、本実施形態のように光学レンズ群１３の焦点調整を行ういわゆるフォーカス環に限られない。例えば、光学レンズ群１３と撮像面の焦点距離を調整するズーム環や、光学レンズ群１３を透過する光の量を調整する絞り環等であってもよい。
【００４０】
筒体１２の外周面２２には、赤外線の反射率が互いに異なる第１領域２４と第２領域２６が備えられている。第１領域２４は、第２領域２６より赤外線の反射率が大きい反射面である。それに対して第２領域２６は、第１領域２４より赤外線の反射率が小さい領域である。
【００４１】
本実施形態のレンズ鏡筒１０に備えられる筒体１２は、筒体１２の中心軸Ｌ方向でみて、回転環１４より被写体側の外周面２２に第１領域２４を有し、回転環１４より撮像面側の外周面２２に第２領域２６を有する。第１領域２４には、図２に示すように、筒本体部３０の外周面に沿って遮熱塗膜３２が形成されている。  
【００４２】
本実施形態に係る遮熱塗膜３２は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する。また、遮熱塗膜３２の中には、図３に示すように、板状もしくは箱形形状の顔料３６が含まれることが好ましい。また、さらに、これらの板状もしくは箱形形状の顔料３６は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含むことが好ましい。
【００４３】
Ｓｉ，Ａｌ，Ｔｉ，Ｆｅ，Ｚｎ，Ｃｏ，Ｍｇ，Ｃａ，Ｓｒ，Ｂａ，Ｃｕを含む顔料３６を、遮熱塗膜３２に含有させることによって、遮熱塗膜３２は、赤外線を効果的に反射することができる。さらに、遮熱塗膜３２に含まれる顔料３６の形状が、板状もしくは箱形形状であれば、遮熱塗膜３２は、赤外線をより効果的に反射することができる。図３に示す顔料３６が、遮熱塗膜に入射される光のうち、赤外領域の波長光（赤外線）を効果的に反射するからである。なお、遮熱塗膜３２は、赤外線を効率的に反射する顔料３６の他に、遮熱塗膜３２の色を変えるための顔料または染料を含んでいてもよい。これによって、遮熱塗膜３２に赤外線を反射する機能を持たせつつ、遮熱塗膜３２の色を任意の色とすることができる。
【００４４】
遮熱塗膜３２が形成されている第１領域２４は、一般的な他の塗膜等の材料表面によって形成されており第１領域２４と同程度の明度を有する他の領域に比べて、物体に熱エネルギーを与える光を反射する反射率が高い。例えば、第１領域２４は、そのＬａｂ表色系における明度Ｌが４０未満である場合は、波長９００ｎｍ以上１７００ｎｍ未満の光の反射率が３０％以上である。
【００４５】
また、例えば、第１領域２４は、そのＬａｂ表色系における明度Ｌが４０以上７０未満である場合は、波長９００ｎｍ以上１７００ｎｍ未満の光の反射率が５０％以上である。また、例えば、第１領域２４は、そのＬａｂ表色系における明度Ｌが７０以上である場合は、波長９００ｎｍ以上１７００ｎｍ未満の光の反射率が７０％以上である。
【００４６】
図１０は、遮熱塗膜に光が照射された場合の照射光波長と反射率との関係を示す図である。
【００４７】
図１０において、塗膜ａ１は、可視光（波長４００ｎｍ以上８００ｎｍ以下）の反射率が約１０％であり、黒色に近い色に見える塗膜である。塗膜ｂは、可視光の反射率が約２５％であり、灰色に見える塗膜である。塗膜ｃは、可視光の反射率が約６５％であり、白色に近い色に見える塗膜である。
【００４８】
赤外光の波長領域（波長９００ｎｍ以上１７００nm未満 ）において、塗膜ａ１は、光の反射率が３０％以上（約４５％）であり、塗膜ｂは、光の反射率が５０％以上（約６０％）であり、塗膜ｃは、光の反射率が７０％以上（約８５％）であり、遮熱塗膜である。
【００４９】
また、塗膜ａ２も、可視光の反射率が１０％であり、赤外光の平均反射率が３０％以上（約３５％）であり、遮熱塗膜である。平均反射率は以下の数式１により計算することができる。
【００５０】
【数１】
2010038957.tif 000003
【００５１】
数式１において、Ｒλ（ｉ）は各波長の反射率、λ（ｉ）はλ（１）＝９００，λ（２）＝９１０，λ（３）＝９２０，・・・λ（ｎ）＝１７００ｎｍとする。
【００５２】
遮熱塗膜は、図１０に示す塗膜ａ１、ａ２、ｂ、ｃに限定するものではなく、Ｌａｂ表色系における明度Ｌが４０未満であって波長９００ｎｍ以上１７００ｎｍ未満の光の反射率が３０％以上であるか、Ｌａｂ表色系における明度Ｌが４０以上７０未満であって波長９００ｎｍ以上１７００ｎｍ未満の光の反射率が５０％以上であるか、Ｌａｂ表色系における明度Ｌが７０以上であって波長９００ｎｍ以上１７００ｎｍ未満の光の反射率が７０％以上であればよい。
【００５３】
さらに好ましくは、遮熱塗膜は、赤外光の少なくとも一部の波長領域において反射率が低くても、赤外光の平均反射率が可視光の反射率よりも高いことが好ましい。
【００５４】
例えば、遮熱塗膜は、赤外光（波長９００ｎｍ以上１７００ｎｍ未満）の平均反射率が、可視光（波長４００ｎｍ以上８００ｎｍ以下）の平均反射率よりも１０％以上高いことが好ましい。また、例えば、遮熱塗膜は、赤外光の平均反射率が、可視光の平均反射率よりも２０％以上高いことが更に好ましい。
【００５５】
図１０において、塗膜ｄは、可視光の反射率が１０％であり、赤外光の平均反射率が３０％未満（約１０％）であり、遮熱塗膜ではない比較例の黒色の塗膜である。
【００５６】
可視光の波長領域（波長４００ｎｍ以上８００ｎｍ以下）において、塗膜ａ１、と塗膜ｄとは、ほぼ同じ反射率（約１０％）であるが、赤外光の波長領域（波長９００ｎｍ以上１７００ｎｍ未満）において、塗膜ａ１の反射率（約４５％）は、塗膜ｄの約４．５倍の反射率になっている。このため、塗膜ａ１が形成された光学機器は、塗膜ｄが形成された光学機器と同様に黒色に近く見えるが、例えば、炎天下（太陽光が多く照射される状態）で使用されても、赤外光の反射率が高いので塗膜ｄが形成された光学機器よりも温度上昇が抑えられる。
【００５７】
このように、図１に示す第１領域２４は、物体に照射された場合に熱エネルギーに変換される光を反射する反射率が高い。したがって、例えば太陽光が多量に照射される環境下で用いられた場合でも、本実施形態に係るレンズ鏡筒１０は、当該第１領域２４を備える筒体１２の温度上昇を効果的に防止することができる。また、筒体１２の温度上昇が防止されるため、レンズ鏡筒１０を使用する撮影者等は、レンズ鏡筒１０の表面を直接手で振れながら、レンズ鏡筒１０を快適に操作することができる。
【００５８】
第１領域２４を備える筒体１２は、例えば、図２に示す筒本体部３０の外周表面に、Ｓｉ，Ａｌ，Ｔｉ，Ｆｅ，Ｚｎ，Ｃｏ，Ｍｇ，Ｃａ，Ｓｒ，Ｂａ，Ｃｕのうち少なくとも１つを含む顔料３６を含有する塗料を塗布することによって製造することができる。筒本体部３０は、Ｍｇ、Ａｌ等を含む金属材料や、ポリカーボネイト等の樹脂材料によって形成されている。遮熱塗膜３２が形成されている第１領域２４は、金属または樹脂材料等によって形成されている筒本体部３０の外周表面に、遮熱塗膜３２の原料となる塗料を塗布することによって製造される。
【００５９】
図１に示す第１領域２４に、遮熱塗膜３２が形成されているのに対し、本実施形態に係る第２領域２６には、図２に示す被覆塗膜３４が形成されている。なお、被覆塗膜３４は、球状、針状等の形状を有する顔料を含有していてもよい。
【００６０】
本実施形態における第２領域２６に塗布された被覆塗膜３４は、遮熱塗膜３２より赤外線の反射率が低いが、遮熱塗膜３２と同様に、筒本体部３０の表面を被覆しており、物理的および化学的な衝撃から筒本体部３０を保護している。また、第２領域２６は、赤外線の反射率が小さいため、筒体１２の内部（筒体１２の中心軸Ｌ側）で発生した赤外線の反射率も小さく、筒体１２の内部で発生した熱を第１領域２４より効率的にレンズ鏡筒１０の外部に放出させることができる。
【００６１】
第２領域２６は、第１領域２４と同様に、例えば筒本体部３０の外周表面に、被覆塗膜３４の原料となる塗料を塗布することによって製造される。なお、図１に示す第１実施形態に係るレンズ鏡筒１０において、第１領域２４と第２領域２６との間に設けられる回転環１４の外周表面には、遮熱塗膜３２が形成されていてもよく、また、ゴム材料等の層で覆われていてもよい。
【００６２】
本発明の第１実施形態に係るレンズ鏡筒１０は、物体に熱エネルギーを与える光を反射する反射率が高い第１領域２４が備えられた筒体１２を含むため、赤外線を多量に照射される環境下で用いられた場合でも、第１領域２４を備える筒体１２の温度上昇を効果的に防止することができる。また、筒体１２の温度上昇が効果的に防止されるため、レンズ鏡筒１０を使用する撮影者等は、レンズ鏡筒１０の表面を直接手で振れながら、レンズ鏡筒１０の操作を快適に行うことができる。
【００６３】
特に、図１に示すレンズ鏡筒１０では、第１領域２４が筒体１２の被写体側の領域に備えられている。したがって、レンズ鏡筒１０は、撮影者が直接手で触れやすい部分である筒体１２の被写体側部分について、外周面２２の温度上昇を効果的に防止することができる。例えば、第１領域２４は、筒体１２の被写体側の端部１２ａから３分の２よりも被写体側の領域に備えられることが好ましい。
【００６４】
野外での撮影に好適に用いられる望遠レンズ等のレンズ鏡筒１０は、重量が大きいものも多い。したがって、このようなレンズ鏡筒１０を用いる撮影者等は、筒体１２の被写体側部分の外周面２２を手で支えた状態で、撮影が行うことが多いからである。
【００６５】
またレンズ鏡筒１０は、レンズ鏡筒１０に備えられた支持台取付部１６に三脚等の支持台を取り付けて、レンズ鏡筒１０を三脚等によって支持した状態で用いられる場合もある。このような場合、撮影者等は、筒体１２の被写体側部分を一方の手で触り、他方の手をカメラのレリーズボタンに添えることによってレンズ鏡筒１０を両手で保持し、レンズ鏡筒１０を安定させた状態で撮影を行うことが多い。図１に示すレンズ鏡筒１０は、筒体１２の被写体側部分の外周面２２の温度上昇を効果的に防止することができるため、このような使用に適している。
【００６６】
なお、第１実施形態に係るレンズ鏡筒１０における第２領域２６には、図２に示すように被覆塗膜３４が形成されていたが、筒体１２の撮像面側に備えられる第２領域２６としてはこれに限定されない。例えば、第２領域２６には、第１領域２４に形成された遮熱塗膜３２の膜厚より薄い遮熱塗膜３２が形成されていてもよい。また、第２領域２６は、筒体１２の撮像面側に備えられていてもよいが、例えば、筒体１２の内部にモータまたは電子基板等の発熱源が設置されている位置に近接して備えられていてもよい。これによって、レンズ鏡筒１０は、筒体１２の内部で発生した熱を効率的にレンズ鏡筒１０の外部に排出し、レンズ鏡筒１０の内部に配置されたモータまたは電子基板等の過剰な温度上昇を防止することができる。
第２実施形態
【００６７】
図４は、本発明の第２実施形態に係るレンズ鏡筒６０の全体図である。レンズ鏡筒６０は、筒体６２の外周面６３に備えられた第１領域６４および第２領域６６の位置が異なる他は、図１に示す第１実施形態に係るレンズ鏡筒１０と同様である。
【００６８】
筒体６２の外周面６３には、赤外線の反射率が互いに異なる第１領域６４と第２領域６６が備えられている。第１領域６４は、第２領域６６より赤外線の反射率が大きい反射面である。それに対して、第２領域６６は、第１領域６４より赤外線の反射率が小さい。
【００６９】
本実施形態のレンズ鏡筒６０に備えられる筒体６２は、筒体６２の中心軸Ｌ方向でみて、支持台取付部１６より被写体側の外周面６３に第１領域６４を有し、支持台取付部１６より撮像面側の外周面６３に第２領域６６を有する。なお、第１領域６４および第２領域６６は、筒体６２の外周面６３における配置が異なる他は、第１実施形態に係る第１領域２４および第２領域２６と同様である。
【００７０】
本発明の第２実施形態に係るレンズ鏡筒６０は、第１実施形態に係るレンズ鏡筒１０と同様に、物体に熱エネルギーを与える光を反射する反射率が高い第１領域６４が備えられた筒体６２を含む。したがって、赤外線を多量に照射される環境下で用いられた場合でも、第１領域６４を備える筒体６２の温度上昇を効果的に防止することができる。また、筒体６２の温度上昇が効果的に防止されるため、レンズ鏡筒６０を使用する撮影者等は、レンズ鏡筒６０の表面を直接手で振れながら、レンズ鏡筒６０の操作を快適に行うことができる。
【００７１】
特に、支持台取付部１６に三脚等を取り付けて、三脚等によって支持した状態でレンズ鏡筒６０を用いる場合、レンズ鏡筒６０を使用する撮影者等は、支持台取付部１６より被写体側の外周面６３を手で触れてレンズ鏡筒６０を支える場合が多い。また、撮影者は、支持台取付部１６より被写体側の外周面６３を一方の手で触れ、カメラのレリーズボタンを他方の手で触れることによってレンズ鏡筒６０を保持し、支持台取付部１６又はこれに取り付けられている三脚等を中心としてレンズ鏡筒６０を回転させ、撮影方向を変える場合が多い。第２実施形態に係るレンズ鏡筒６０は、支持台取付部１６よりも被写体側部分の外周面６３に、当該外周面６３の温度上昇を効果的に防止する第１領域６４を有するため、このような使用に特に好適に用いられる。
第３実施形態
【００７２】
図５は、本発明の第３実施形態に係るレンズ鏡筒７０の全体図である。レンズ鏡筒７０は、筒体７２の外周面７３に備えられた第１領域７４および第２領域７６の位置が異なる他は、図１に示す第１実施形態に係るレンズ鏡筒１０と同様である。
【００７３】
筒体７２の外周面７３には、赤外線の反射率が互いに異なる第１領域７４と第２領域７６が備えられている。第１領域７４は、第２領域７６より赤外線の反射率が大きい反射面である。それに対して、第２領域７６は、第１領域７４より赤外線の反射率が小さい。
【００７４】
第３実施形態のレンズ鏡筒７０に備えられる筒体７２は、筒体７２の軸回り方向（中心軸Ｌを中心とする回転方向）でみて、上方側の外周面７３に第１領域７４を有し、下方側の外周面７３に第２領域７６を有する。
【００７５】
第３実施形態に係るレンズ鏡筒７０における上方側とは、筒体７２における撮像面側の端部７２ｂにカメラが取り付けられ、レンズ鏡筒７０が撮影等に使用される場合、おもに空の方向を向く側のことである。また、第３実施形態に係るレンズ鏡筒７０における下方側とは、上方側とは反対側であり、レンズ鏡筒７０が撮影等に使用される場合、おもに地面の方向を向く側のことである。筒体７２の外周面７３における上方側には、例えば、レンズ鏡筒７０に備えられた光学レンズ群１３の撮影距離を表す距離目盛２０等が配置される。また、筒体７２の外周面７３における下方側には、例えば、支持台取付部１６の座部１８等が配置される。
【００７６】
第１領域７４及び第２領域７６には、図６に示すように、筒本体部３０の外周面に沿って遮熱塗膜７８が形成されている。本実施形態に係るレンズ鏡筒７０において、第１領域７４における遮熱塗膜７８の膜厚は、第２領域７６における遮熱塗膜７８の膜厚より厚い。したがって、第１領域７４は、第２領域７６より赤外線の反射率が大きい。
【００７７】
なお、図６に示す遮熱塗膜７８は、図２に示す第１実施形態に係る遮熱塗膜３２と同様の成分を有しており、遮熱塗膜３２と同様の方法によって、筒本体部３０の外周面に形成される。すなわち、第１領域７４および第２領域７６は、金属または樹脂材料等によって形成されている筒本体部３０の外周表面に、遮熱塗膜７８の原料となる塗料を塗布することによって製造される。この際、第１領域７４には、第２領域７６よりも厚く塗料を塗布することによって、第２領域７６より厚い塗膜が形成される。
【００７８】
本発明の第３実施形態に係るレンズ鏡筒７０は、物体に熱エネルギーを与える光を反射する反射率が高い第１領域７４が備えられた筒体７２を含むため、赤外線を多量に照射される環境下で用いられた場合でも、第１領域７４を備える筒体７２の温度上昇を効果的に防止することができる。また、筒体７２の温度上昇が効果的に防止されるため、レンズ鏡筒７０を使用する撮影者等は、レンズ鏡筒７０の表面を直接手で振れながら、レンズ鏡筒７０の操作を快適に行うことができる。
【００７９】
また、本発明の第３実施形態に係るレンズ鏡筒７０の筒体７２は、第１領域７４と、筒体７２の軸回り方向でみて、第１領域７４とは異なる領域に備えられ第１領域７４より赤外線の反射率が小さい第２領域７６とを有する。レンズ鏡筒７０を日中の野外等における撮影で使用する場合、レンズ鏡筒７０の上方側の部分は、下方側の部分に比べて、より多くの太陽光を照射される傾向にある。したがって、撮影者は、筒体７２の第１領域７４が空を向く状態にレンズ鏡筒７０を設置して撮影をおこなうことによって、筒体７２全体の温度上昇を効果的に防止することができる。なぜなら、赤外線の反射率の高い第１領域７４が、より多くの赤外線を照射される上方側に配置されるからである。
【００８０】
図６に示す筒体７２において、赤外線の反射率の高い第１領域７４は、筒体７２の軸回り方向でみて５分の４以上の領域に備えられていてもよい。このような構成とすることによって、例えば撮影者が、図５に示す状態に対してレンズ鏡筒７０を、中心軸Ｌを中心として略９０℃回転させた状態でレンズ鏡筒７０を使用した場合でも、筒体７２全体の温度上昇を効果的に防止することができる。
【００８１】
また、図５および図６に示す第３実施形態に係る筒体７２において、第２領域７６には、第１領域７４より膜厚の薄い遮熱塗膜７８が形成されているが、第２領域７６はこれに限定されない。例えば、図７に示す変形例に係る筒体８０のように、第１領域７４ａには遮熱塗膜３２が形成されており、第２領域７６ａには被覆塗膜３４が形成されていてもよい。なお、図７に示す遮熱塗膜３２および被覆塗膜３４は、図２（Ａ）および（Ｂ）に示す遮熱塗膜３２および被覆塗膜３４と同様の材料および方法によって、筒本体部３０の外周面に形成される。
その他の実施形態
【００８２】
第１〜第３実施形態におけるレンズ鏡筒１０，６０，７０において、赤外線の反射率が高い第１領域２４，６４，７４，７４ａは、筒体１２，６２，７２，８０の外周面の一部に備えられている。しかし、本発明に係る光学装置はこれに限られず、例えば、赤外線の反射率が高い第１領域が、筒体の外周面の全体に形成されていてもよい。
【００８３】
さらに、第１領域に形成される遮熱塗膜３２，７８は、筒体１２，６２，７２，８０の外周最表面に形成された最表面膜であってもよいが、遮熱塗膜３２の上に他の膜が積層された中間膜または中間面であってもよい。また、遮熱塗膜３２，７８を、筒体１２，６２，７２，８０の内周表面に形成することも可能である。
【００８４】
また、赤外線の反射率の高い第１領域２４，６４，７４，７４ａは、筒本体部３０に遮熱塗膜３２を形成した図２等に示す形態に限定されない。例えば、赤外線の反射率の高い第１領域２４，６４，７４，７４ａは、筒本体部３０の原材料の中に、図３に示す顔料３６のように効果的に赤外線を反射する材料を添加し、筒本体部３０自体の赤外線の反射率を高めることによって形成されてもよい。
【００８５】
また、第１〜第３実施形態に係るレンズ鏡筒１０，６０，７０における筒体１２，６２，７２には、図８に示すレンズフード５０が取り付けられても良い。レンズフード５０は、図１に示す筒体１２の被写体側の端部１２ａに取り付けられる。レンズフード５０の外周面５２には、図１および図２に示す筒体１２の第１領域２４に係る外周面２２と同様に、遮熱塗膜３２が備えられている。
【００８６】
さらに、第１〜第３実施形態に係るレンズ鏡筒１０，６０，７０における筒体１２，６２，７２には、図９に示す支持台取付部５４が取り付けられても良い。支持台取付部５４は、例えば図１に示す支持台取付部５４の代わりに、レンズ鏡筒１０に取り付けられる。支持台取付部５４の表面５６には、図１および図２に示す筒体１２の第１領域２４に係る外周面２２と同様に、遮熱塗膜３２が備えられている。
【００８７】
図８に示すレンズフード５０および図９に示す支持台取付部５４の表面は、物体に熱エネルギーを与える光を反射する反射率が高い遮熱塗膜３２を備えている。したがって、レンズフード５０または支持台取付部５４は、赤外線を多量に照射される環境下で用いられた場合でも、その表面温度が上昇し難い。
【００８８】
また、レンズ鏡筒１０，６０，７０に取り付けられたレンズフード５０または支持台取付部５４は、レンズ鏡筒１０，６０，７０を使用する撮影者等が、直接手で触れやすい部分に配置され得る。レンズフード５０または支持台取付部５４は、表面温度が上昇し難いため、撮影者等は、当該レンズフード５０または支持台取付部５４が取り付けられたレンズ鏡筒１０，６０，７０の操作を快適に行うことができる。
【図面の簡単な説明】
【００８９】
【図１】図１は、本発明の第１実施形態に係るレンズ鏡筒の全体図である。
【図２】図２は、図１に示すレンズ鏡筒の概略断面図である。
【図３】図３は、図２（ａ）に示す反射塗膜の拡大図である。
【図４】図４は、本発明の第２実施形態に係るレンズ鏡筒の全体図である。
【図５】図５は、本発明の第３実施形態に係るレンズ鏡筒の全体図である。
【図６】図６は、図５に示すレンズ鏡筒の概略断面図である。
【図７】図７は、図５に示すレンズ鏡筒の変形例に関する概略断面図である。
【図８】図８は、本発明の一実施形態に係るレンズフードの全体図である。
【図９】図９は、本発明の一実施形態に係る支持台取付部の全体図である。
【図１０】図１０は、遮熱塗膜に光が照射された場合の照射光波長と反射率との関係を示す図である。
【符号の説明】
【００９０】
１０，６０,７０…  レンズ鏡筒
１２，６２,７２,８０…  筒体
１３…  光学レンズ群
１４…  回転環
１６…  支持台取付部
２２，６３,７３…  筒体の外周面
２４，６４,７４,７４ａ…  第１領域
２６，６６,７６,７６ａ…  第２領域
３２,７８…  遮熱塗膜
【図１】
2010038957.tif 000004
【図２】
2010038957.tif 000005
【図３】
2010038957.tif 000006
【図４】
2010038957.tif 000007
【図５】
2010038957.tif 000008
【図６】
2010038957.tif 000009
【図７】
2010038957.tif 000010
【図８】
2010038957.tif 000011
【図９】
2010038957.tif 000012
【図１０】
2010038957.tif 000013